(57)【要約】      （修正有）【課題】  正確かつ簡単に、管体の外周面にその管体の端面に対して平行なマーキングを行うマーキング治具を提供する。【解決手段】  マーキング治具は、管体の内周面に接触可能に構成された押え面２２ｕと、その押え面２２ｕに対して直角に形成されており、押え面２２ｕが管体の内周面に接触した状態で、管体の端面に面接触可能に構成された基準面２２ｓとを備える鉤部２２と、鉤部２２に固定されており、その鉤部２２の押え面２２ｕに対して管体の管壁を挟んで反対側に配置されており、その管体の軸方向に延びる腕部２４と、腕部２４に設けられており、管体の外周面にマーキングするためのマーカ３０を把持する把持部２６とを有しており、鉤部２２の基準面２２ｓから把持部２６のマーカ３０までの寸法が規定寸法となるように構成されている。【選択図】図１
2006142433.tif 000002
【特許請求の範囲】
【請求項１】
管体の外周面にその管体の端面に対して平行なマーキングを行うためのマーキング治具であって、
前記管体の内周面に接触可能に構成された押え面と、その押え面に対して直角に形成されており、前記押え面が前記管体の内周面に接触した状態で、前記管体の端面に面接触可能に構成された基準面とを備える鉤部と、
前記鉤部に固定されており、その鉤部の押え面に対して前記管体の管壁を挟んで反対側に配置されており、その管体の軸方向に延びる腕部と、
前記腕部に設けられており、前記管体の外周面にマーキングするためのマーカを把持する把持部とを有しており、
前記鉤部の基準面から前記把持部のマーカまでの寸法が規定寸法となるように構成されていることを特徴とするマーキング治具。
【請求項２】
管体の外周面にその管体の端面に対して平行なマーキングを行うためのマーキング治具であって、
前記管体を横断するように配置される部位であり、その管体の端面に面接触可能に構成された基準面を備える位置決め部と、
前記位置決め部に固定されており、その位置決め部の基準面が前記管体の端面に面接触した状態で、前記管体の軸方向に延びる腕部と、
前記腕部に設けられており、前記管体の外周面にマーキングするためのマーカを把持する把持部とを有しており、
前記位置決め部の基準面から前記把持部のマーカまでの寸法が規定寸法となるように構成されていることを特徴とするマーキング治具。
【請求項３】
請求項１又は請求項２のいずれかに記載のマーキング治具であって、
把持部は弾性力を利用してマーカを把持する構成であることを特徴とするマーキング治具。
【請求項４】
請求項１又は請求項２のいずれかに記載のマーキング治具であって、
把持部はネジの締付け力を利用してマーカを把持する構成であることを特徴とするマーキング治具。
【請求項５】
請求項１から請求項４のいずれかに記載のマーキング治具であって、
腕部は長さ調整が可能な構成であり、その腕部の長さを調整することで、基準面からマーカまでの寸法を変更可能に構成されていることを特徴とするマーキング治具。
【発明の詳細な説明】
【技術分野】
【０００１】
本発明は、管体の外周面にその管体の端面に対して平行なマーキングを行うためのマーキング治具に関する。
【背景技術】
【０００２】
上記したマーキング治具に関する技術が特許文献１に記載されている。
従来のマーキング治具９０は、図７に示すように、巻尺９１にマーキング用の爪９３を付加した構成である。前記爪９３は、巻尺９１の端部で、その巻尺９１のコイル状物差し９４が通される開口９４ｋに対して平行に設けられている。
このマーキング治具９０を使用して、管体（図示省略）の外周面にマーキングを行うためには、先ず、管体の端面に巻尺９１のフック９５を掛けた状態で、所定寸法だけコイル状物差し９４を引き出す。次に、この状態で巻尺９１を前記管体の周方向に移動させながらその管体の外周面に爪９５でマーキングを行う。これによって、管体の外周面にその管体の端面に対して平行なマーキングを行うことが可能になる。
【０００３】
【特許文献１】特開平９−１２６７０２号公報
【発明の開示】
【発明が解決しようとする課題】
【０００４】
しかし、上記したマーキング治具９０のコイル状物差し９４は可撓性を有しているため、フック９５が管体の端面に正しく掛っていてもマーキング治具９０が周方向に移動する際に、爪９３が管体の軸方向において位置ずれすることがある。さらに、マーキング治具９０が周方向に移動する過程で、フック９５が管体の端面から外れることがある。このため、正確に管体の外周面にその管体の端面に対して平行なマーキングを行うには、ある程度の熟練を必要とする。
【０００５】
本発明は、上記した問題点を解決するためになされたものであり、本発明が解決しようとする課題は、正確かつ簡単に、管体の外周面にその管体の端面に対して平行なマーキングを行えるようにすることである。
【課題を解決するための手段】
【０００６】
上記した課題は、各請求項の発明によって解決される。
請求項１の発明は、管体の外周面にその管体の端面に対して平行なマーキングを行うためのマーキング治具であって、前記管体の内周面に接触可能に構成された押え面と、その押え面に対して直角に形成されており、前記押え面が前記管体の内周面に接触した状態で、前記管体の端面に面接触可能に構成された基準面とを備える鉤部と、前記鉤部に固定されており、その鉤部の押え面に対して前記管体の管壁を挟んで反対側に配置されており、その管体の軸方向に延びる腕部と、前記腕部に設けられており、前記管体の外周面にマーキングするためのマーカを把持する把持部とを有しており、前記鉤部の基準面から前記把持部のマーカまでの寸法が規定寸法となるように構成されていることを特徴とする。
【０００７】
本発明によると、鉤部の押え面を管体の内周面に接触させ、鉤部の基準面を管体の端面に面接触させた状態で、把持部に支持されたマーカは管体の端面から規定寸法の位置に位置決めされる。この状態で、鉤部、腕部及び把持部を管体の周方向に移動させることにより、その把持部のマーカによって管体の外周面に対し、その管体の端面に平行なマーキングを行えるようになる。
このように、鉤部の押え面と基準面とを管体の内周面と端面とに面接触させた状態で、その鉤部、腕部及び把持部を管体の周方向に移動させる方式のため、鉤部が管体の端部から外れ難くなる。さらに、把持部は腕部に設けられており、さらに腕部は鉤部に固定されているため、その鉤部、腕部及び把持部を管体の周方向に移動させる際に、前記鉤部の基準面から把持部のマーカまでの寸法が変動することがない。このため、マーカが管体の軸方向において位置ずれを起こすことがない。したがって、管体の外周面にその管体の端面に対して平行なマーキングを正確かつ簡単に行えるようになる。
【０００８】
請求項２の発明は、管体の外周面にその管体の端面に対して平行なマーキングを行うためのマーキング治具であって、前記管体を横断するように配置される部位であり、その管体の端面に面接触可能に構成された基準面を備える位置決め部と、前記位置決め部に固定されており、その位置決め部の基準面が前記管体の端面に面接触した状態で、前記管体の軸方向に延びる腕部と、前記腕部に設けられており、前記管体の外周面にマーキングするためのマーカを把持する把持部とを有しており、前記位置決め部の基準面から前記把持部のマーカまでの寸法が規定寸法となるように構成されていることを特徴とする。
本発明によると、管体を横断するように配置された位置決め部の基準面を管体の端面に面接触させた状態で、把持部に支持されたマーカは管体の端面から規定寸法の位置に位置決めされる。この状態で、位置決め部、腕部及び把持部を管体の周方向に移動させることにより、その把持部のマーカによって管体の外周面に対し、その管体の端面に平行なマーキングを行えるようになる。
このように、位置決め部の基準面を管体の端面に面接触させた状態で、その位置決め部、腕部及び把持部を管体の周方向に移動させる方式のため、前記位置決め部の基準面から把持部のマーカまでの寸法が変動することがない。このため、マーカが管体の軸方向において位置ずれを起こすことがなく、管体の外周面にその管体の端面に対して平行なマーキングを正確かつ簡単に行えるようになる。
【０００９】
請求項３の発明によると、把持部は弾性力を利用してマーカを把持する構成であることを特徴とする。
また、請求項４の発明によると、把持部はネジの締付け力を利用してマーカを把持する構成であることを特徴とする。
上記構成により、マーカの位置調整及び交換が容易になる。
請求項５の発明によると、腕部は長さ調整が可能な構成であり、その腕部の長さを調整することで、基準面からマーカまでの寸法を変更可能に構成されている。
このため、排水管継手の種類や管体の種類に応じてマーキングの位置を変えることが可能になる。
【発明の効果】
【００１０】
本発明によると、管体の外周面にその管体の端面に対して平行なマーキングを正確かつ簡単に行えるようになる。
【発明を実施するための最良の形態】
【００１１】
［実施形態１］
以下、図１〜図６に基づいて本発明の実施形態１に係るマーキング治具の説明を行う。本実施形態に係るマーキング治具は、マンション等の集合住宅における排水設備において排水管挿入代のマーキングに使用される治具である。ここで、図１はそのマーキング治具の全体斜視図、図２、図３はマーキング治具の使用態様を表す斜視図、側面図である。図４、図５はマーキング治具の変更例を表す斜視図、図６はマンション等の集合住宅における排水設備の要部側面図である。
図６に示すように、マンション等の集合住宅における排水設備は、集合住宅の上下方向に延びる排水立て管１４と、その集合住宅の各階毎に設けられた各種の排水横枝管（図示省略）と、上階と下階の排水立て管１４を接続するとともに、各排水横枝管を排水立て管１４に接続する排水管継手１６とから構成されている。
【００１２】
排水管継手１６には、排水立て管１４や各排水管が接続される受け口１６ｕ，１６ｅ，１６ｆが形成されている。排水管継手１６の受け口１６ｕ，１６ｅ，１６ｆにはシール材（図示省略）が内装されており、排水立て管１４等がそれらの受け口１６ｕ，１６ｅ，１６ｆに規定寸法だけ挿入されることで、前記シール材により排水立て管１４等と受け口１６ｕ，１６ｅ，１６ｆとの間がシールされる。
しかし、排水立て管１４等（以下、管体１４という）を排水管継手１６の受け口１６ｕ，１６ｅ，１６ｆ（以下、受け口１６ｕという）に挿入接続する作業は、現地での手作業となるため、作業者の個人差で受け口１６ｕに対する管体１４の挿入量がばらつくことがある。仮に、受け口１６ｕに対する管体１４の挿入量が規定寸法に達しないと、前記シール材が適正に機能せず、シール不良が発生するおそれがある。これを防止するため、図６（Ｂ）に示すように、管体１４の端面１４ｔから規定寸法Ｌの位置に円周方向にマーキングＭを行い、受け口１６ｕに対するマーキングＭの位置によって管体１４の挿入量を確認できるようにしている。
【００１３】
マーキング治具２０は、管体１４の外周面に上記したマーキングＭを行うための治具である。マーキング治具２０は、図１〜図３に示すように、側面Ｌ字形に形成された鉤部２２と、鉤部２２の上端部に固定された腕部２４と、その腕部２４の先端でマーカ３０を把持する把持部２６とを備えている。
マーキング治具２０の鉤部２２は、管体１４の外周面にマーキングＭを行う際に、その管体１４の端部に掛けられる部分である。鉤部２２は、図３に示すように、管体１４の内周面１４ｅに沿った状態でその内周面１４ｅと接触する押え面２２ｕと、押え面２２ｕに対して直角に形成されており、その押え面２２ｕが管体１４の内周面１４ｅに接触した状態で、前記管体１４の端面１４ｔに面接触可能に構成された基準面２２ｓとを備えている。
【００１４】
マーキング治具２０の腕部２４は、鉤部２２が管体１４の端部に掛けられた状態で、その管体１４の軸方向に延びるように構成されており、前記鉤部２２の押え面２２ｕに対し、管体１４の管壁を挟んで反対側に配置されている。そして、その腕部２４の先端にマーカ３０を把持する把持部２６が設けられている。
把持部２６は、管体１４の外周面１４ｒに対してほぼ直角にマーカ３０であるマジックインキ（登録商標）を把持できるように構成されている。即ち、把持部２６は、管体１４の半径方向に一致するように形成された隙間２６ｓ（図２参照）によって縦割り状に二分割されており、その隙間２６ｓの両側に管体１４の半径方向に延びる断面半円形の溝２６ｍが対向した状態で形成されている。そして、把持部２６の両溝２６ｍの間にマーカ３０が通されるようになっている。さらに、把持部２６には、両溝２６ｍの後方（図２において右側）に、隙間２６ｓに対して直角に貫通ネジ孔２６ｚが形成されており、その貫通ネジ孔２６ｚにマーカ取付けネジ２６ｙ（図１参照）が螺合されている。これによって、マーカ取付けネジ２６ｙを締付けることで、把持部２６の隙間２６ｓが狭くなり、マーカ３０がしっかり把持部２６に取付けられる。また、マーカ取付けネジ２６ｙを緩めることで、把持部２６の隙間２６ｓが広くなり、マーカ３０を把持部２６から外せるようになる。
【００１５】
次に、上記したマーキング治具２０の取扱い方法を説明する。
先ず、マーカ取付けネジ２６ｙを緩め、マーカ３０が軸方向に移動できる状態で、図３に示すように、鉤部２２の押え面２２ｕを管体１４の内周面１４ｅに接触させ、その鉤部２２の基準面２２ｓを管体１４の端面１４ｔに面接触させる。次に、マーカ３０を軸方向に移動させて、そのマーカ３０の先端のインク部分が管体１４の外周面１４ｒに面接触した状態で、マーカ取付けネジ２６ｙを締付ける。この状態で、マーキング治具２０を管体１４の周方向に移動させることで、図２に示すように、管体１４の端面１４ｔから規定寸法Ｌの位置にその端面１４ｔに対して平行なマーキングＭを行うことが可能になる。
【００１６】
このように、鉤部２２の押え面２２ｕと基準面２２ｓとを管体１４の内周面１４ｅと端面１４ｔとに面接触させた状態で、その鉤部２２、腕部２４及び把持部２６を管体１４の周方向に移動させる方式のため、鉤部２２が管体１４の端部から外れ難くなる。さらに、把持部２６は腕部２４に設けられており、さらに腕部２４は鉤部２２に固定されているため、その鉤部２２、腕部２４及び把持部２６を管体１４の周方向に移動させる際に、鉤部２２の基準面２２ｓから把持部２６のマーカ３０までの寸法が変動することがない。このため、マーカ３０が管体１４の軸方向に位置ずれを起こすことがない。したがって、管体１４の外周面１４ｒにその管体１４の端面１４ｔに対して平行なマーキングＭを正確かつ簡単に行えるようになる。
また、把持部２６はマーカ取付けネジ２６ｙの締付け力を利用してマーカ３０を把持する構成であるため、マーカ３０の位置調整及び交換が容易になる。
【００１７】
なお、本実施形態では、マーカ取付けネジ２６ｙの締付け力を利用してマーカ３０を把持する構成の把持部２６を例示したが、図４に示すように、クリップ４０を使用し、バネ力でマーカ３０を把持する構成も可能である。
また、図５に示すように、直線状の腕部２４を鉤部２２のスライド開口２９ｔに通すことで、その腕部２４を鉤部２２に対してスライド可能に構成し、固定ネジ２９ｘで前記腕部２４を鉤部２２に固定することも可能である。これによって、腕部２４の長さ寸法を調整できるようになり、排水管継手の種類や管体の種類に応じてマーキングＭの位置を変えることができるようになる。
なお、本実施形態では、一本のマーカ３０を把持する構成の把持部２６を例示したが、腕部２４の長手方向に複数本のマーカ３０を把持できるようにしておき、マーキングＭの位置に応じてマーカ３０の取付け位置を変えられるようにすることも可能である。
さらに、本実施形態では、鉤部２２を管体１４の端部に掛けた状態で、マーキング治具２０を管体１４の周方向に移動させてマーキングＭを行う例を示したが、鉤部２２の代わりに、図５の二点鎖線に示すように、棒状の位置決め部２８を使用することも可能である。即ち、位置決め部２８は、長さ寸法が管体１４の外径寸法よりも大きく設定されており、その管体１４を横断可能なように構成されている。さらに、位置決め部２８には、管体１４の端面に面接触する部分に基準面２２ｓが形成されている。これによって、位置決め部２８の基準面２２ｓを管体１４の端面１４ｔに面接触させた状態で、把持部２６のマーカ３０は管体１４の端面１４ｔから規定寸法Ｌの位置に配置される。この状態で、位置決め部２８、腕部２４及び把持部２６を管体１４の周方向に移動させることにより、そのマーカ３０によって管体１４の外周面１４ｒに対し、その管体１４の端面１４ｔに平行なマーキングＭを行えるようになる。
なお、図１及び図４に示すマーキング治具２０の鉤部２２を上記した位置決め部２８に置き換えることも可能である。
【図面の簡単な説明】
【００１８】
【図１】本発明の実施形態１に係るマーキング治具の全体斜視図である。
【図２】マーキング治具の使用態様を表す斜視図である。
【図３】マーキング治具の使用態様を表す側面図である。
【図４】マーキング治具の変更例を表す斜視図である。
【図５】マーキング治具の変更例を表す斜視図である。
【図６】マンション等の集合住宅における排水設備の要部側面図（Ａ図）及び管体の端部を表す側面図（Ｂ図）である。
【図７】従来のマーキング治具を表す斜視図である。
【符号の説明】
【００１９】
Ｍ        マーキング
１４      排水立て管（管体）
１４ｔ    端面
１４ｒ    外周面
１６      排水管継手
２２      鉤部
２２ｕ    押え面
２２ｓ    基準面
２４      腕部
２６      把持部
２６ｙ    マーカ取付けネジ
２８      位置決め部
３０      マーカ
４０      クリップ
【図１】
2006142433.tif 000003
【図２】
2006142433.tif 000004
【図３】
2006142433.tif 000005
【図４】
2006142433.tif 000006
【図５】
2006142433.tif 000007
【図６】
2006142433.tif 000008
【図７】
2006142433.tif 000009